(57)【要約】【課題】冷暖房を必要とする室内空間で、不必要な空間まで冷暖房すると、灯油・ガス・電気等の冷暖房費用が不必要な空間の分まで必要となってしまう。【解決手段】そこで、室内空間のうち、利用していない空間部分にスペーサーを設置する事で室内空間容積を減らす機器である、空間スペーサーを考案した。この空間スペーサーにより、室内空間の不必要な容積を減らす事で、冷暖房される容積も減る事から、冷暖房費用を削減できる。【選択図】図１
0003135051.tif 000002
【実用新案登録請求の範囲】
【請求項１】
室内空間のうち、不必要な空間容積を減らす事で、冷暖房費用削減を目的とする、室内に設置する空間スペーサー
【請求項２】
室内空間のうち、不必要な空間容積を減らす事で、冷暖房費用削減を目的とする、室内に設置する空間スペーサーの形状として、不必要な空間の容積をさまざまな形状の空間スペーサーをテープやはめ合いや金具で組み合わせて容積調整できる、組み合わせ型の空間スペーサー
【請求項３】
室内空間のうち、不必要な空間容積を減らす事で、冷暖房費用削減を目的とする、室内に設置する空間スペーサーの材質として、発泡スチロール等の熱伝導率の低い材質で作成する事により、断熱性を高めた空間スペーサー
【考案の詳細な説明】
【技術分野】
【０００１】  本考案は、室内空間容積を減らす事により冷暖房費用を削減する機器である、空間スペーサーに関する。
【背景技術】
【０００２】  従来は室内空間容積を容易に変更する事が出来ず、冷暖房が必要な状況下において、不必要な空間も含めた冷暖房費用が必要であった。
【考案の開示】
【考案が解決しようとする課題】
【０００３】  冷暖房を必要とする室内空間で、不必要な空間まで冷暖房すると、灯油・ガス・電気等の冷暖房費用が不必要な空間の分まで必要となってしまう。本考案は、この課題を解決するためになされたものである。
【課題を解決するための手段】
【０００４】  そこで、室内空間のうち、利用していない空間部分にスペーサーを設置する事で室内空間容積を減らす機器である、空間スペーサーを考案した。この空間スペーサーにより、室内空間の不必要な容積を減らす事で、冷暖房される容積も減る事から、冷暖房費用を削減できる。
【考案の効果】
【０００５】  本考案により、従来は不必要であるにもかかわらず行っていた、不必要室内空間への冷暖房費用が削減できる。又、冷暖房共に設置前に比べ短時間で冷暖房効果が得られる
【考案を実施するための最良の形態】
【０００６】  本考案に係わる空間スペーサーの各種形状を図１及び図２及び図３及び図４に示す。室内空間の中で不必要部分に対し、空間スペーサーを単体又は組み合わせて利用する事で、室内空間容積を減らす。組み合わせる場合は、テープやはめ合いや金具で組み合わせて容積調整ができる。空間スペーサーの設置方法としては、床から積み上げる方法、天井や壁に固定して装着する方法がある
【図面の簡単な説明】
【０００７】
【図１】  四角形状空間スペーサーの図である。
【図２】  三角形状空間スペーサーの図である。
【図３】  円形状空間スペーサーの図である。
【図４】  自由形状空間スペーサー例の図である。
【符号の説明】
【０００８】    １  四角形状空間スペーサーの図
２  三角形状空間スペーサーの図
３  円形状空間スペーサーの図
４  自由形状空間スペーサー例の図
【図１】
0003135051.tif 000003
【図２】
0003135051.tif 000004
【図３】
0003135051.tif 000005
【図４】
0003135051.tif 000006
【手続補正書】
【提出日】平成19年2月15日(2007.2.15)
【手続補正１】
【補正対象書類名】実用新案登録請求の範囲
【補正対象項目名】全文
【補正方法】変更
【補正の内容】
【実用新案登録請求の範囲】
【請求項１】
室内空間のうち、不必要な空間容積を減らす事で、冷暖房費用削減を目的とする、室内に設置するブロック型組み合わせ空間スペーサー
【手続補正２】
【補正対象書類名】明細書
【補正対象項目名】全文
【補正方法】変更
【補正の内容】
【考案の詳細な説明】
【技術分野】
【０００１】  本考案は、室内空間容積を減らす事により冷暖房費用を削減する機器である、空間スペーサーに関する。
【背景技術】
【０００２】  従来は室内空間容積を容易に変更する事が出来ず、冷暖房が必要な状況下において、不必要な空間も含めた冷暖房費用が必要であった。
【考案の開示】
【考案が解決しようとする課題】
【０００３】  冷暖房を必要とする室内空間で、不必要な空間まで冷暖房すると、灯油・ガス・電気等の冷暖房費用が不必要な空間の分まで必要となってしまう。本考案は、この課題を解決するためになされたものである。
【課題を解決するための手段】
【０００４】  そこで、室内空間のうち、利用していない空間部分にスペーサーを設置する事で室内空間容積を減らす機器である、空間スペーサーを考案した。この空間スペーサーにより、室内空間の不必要な容積を減らす事で、冷暖房される容積も減る事から、冷暖房費用を削減できる。
【考案の効果】
【０００５】  本考案により、従来は不必要であるにもかかわらず行っていた、不必要室内空間への冷暖房費用が削減できる。又、冷暖房共に設置前に比べ短時間で冷暖房効果が得られる。
【考案を実施するための最良の形態】
【０００６】  本考案に係わる空間スペーサーの各種形状を図１及び図２及び図３に示す。室内空間の中で不必要部分に対し、空間スペーサーを単体又は組み合わせて利用する事で、室内空間容積を減らす。積み上げて組み合わせる事により、容易に容積調整ができる。形状は室内の無駄な空間に合わせる為、四角柱及び三角柱及び円形柱を空間に合わせて積み上げる。
【図面の簡単な説明】
【０００７】
【図１】  四角柱形状空間スペーサーの図である。
【図２】  三角柱形状空間スペーサーの図である。
【図３】  円柱形状空間スペーサーの図である。
【符号の説明】
【０００８】  １  四角柱形状空間スペーサーの図
２  三角柱形状空間スペーサーの図
３  円柱形状空間スペーサーの図
【手続補正３】
【補正対象書類名】図面
【補正対象項目名】全図
【補正方法】変更
【補正の内容】
【図１】
0003135051.tif 000007
【図２】
0003135051.tif 000008
【図３】
0003135051.tif 000009
【手続補正書】
【提出日】平成19年6月11日(2007.6.11)
【手続補正１】
【補正対象書類名】実用新案登録請求の範囲
【補正対象項目名】全文
【補正方法】変更
【補正の内容】
【実用新案登録請求の範囲】
【請求項１】
室内空間のうち、不必要な空間容積を減らす事で、冷暖房費用削減を目的とする、室内に設置する四角柱・三角柱又は円形柱の空間スペーサー
【手続補正２】
【補正対象書類名】明細書
【補正対象項目名】全文
【補正方法】変更
【補正の内容】
【考案の詳細な説明】
【技術分野】
【０００１】  本考案は、室内空間容積を減らす事により冷暖房費用を削減する機器である、空間スペーサーに関する。
【背景技術】
【０００２】  従来は室内空間容積を容易に変更する事が出来ず、冷暖房が必要な状況下において、不必要な空間も含めた冷暖房費用が必要であった。
【考案の開示】
【考案が解決しようとする課題】
【０００３】  冷暖房を必要とする室内空間で、不必要な空間まで冷暖房すると、灯油・ガス・電気等の冷暖房費用が不必要な空間の分まで必要となってしまう。本考案は、この課題を解決するためになされたものである。
【課題を解決するための手段】
【０００４】  そこで、室内空間のうち、利用していない空間部分にスペーサーを設置する事で室内空間容積を減らす機器である、空間スペーサーを考案した。この空間スペーサーにより、室内空間の不必要な容積を減らす事で、冷暖房される容積も減る事から、冷暖房費用を削減できる。
【考案の効果】
【０００５】  本考案により、従来は不必要であるにもかかわらず行っていた、不必要室内空間への冷暖房費用が削減できる。又、冷暖房共に設置前に比べ短時間で冷暖房効果が得られる。
【考案を実施するための最良の形態】
【０００６】  本考案に係わる空間スペーサーの各種形状を図１及び図２及び図３に示す。室内空間の中で不必要部分に対し、空間スペーサーを単体又は組み合わせて利用する事で、室内空間容積を減らす。積み上げて組み合わせる事により、容易に容積調整ができる。形状は室内の無駄な空間に合わせる為、四角柱及び三角柱及び円形柱を空間に合わせて積み上げる。
【図面の簡単な説明】
【０００７】
【図１】四角柱形状空間スペーサーの図である。
【図２】三角柱形状空間スペーサーの図である。
【図３】円柱形状空間スペーサーの図である。
【符号の説明】
【０００８】１  四角柱形状空間スペーサーの図
２  三角柱形状空間スペーサーの図
３  円柱形状空間スペーサーの図
【手続補正３】
【補正対象書類名】図面
【補正対象項目名】全図
【補正方法】変更
【補正の内容】
【図１】
0003135051.tif 000010
【図２】
0003135051.tif 000011
【図３】
0003135051.tif 000012